(57)【要約】  再生装置は、表示部（２０）と、タッチパネル（３０）と、コンテンツとを記録する記録部（４０）と、再生対象とするコンテンツを出力する出力部と、表示制御部（１３，１４）と、出力制御部（１５，１６）とを備える。表示制御部（１３，１４）は、再生時点を表す第１の表示と、第１のタッチがされたとき、第１の表示よりも細かく再生時点を表す第２の表示とを表示部（２０）に表示させる。出力制御部（１５，１６）は、第１の表示又は第２の表示上のタッチ位置に応じたコンテンツを出力部に出力させる。
2016035369.tif 000002
【特許請求の範囲】
【請求項１】
画像を表示する表示部と、
前記表示部に設けられ、タッチされた位置をタッチ位置として検出するタッチパネルと、
有限期間に含まれる複数の時間に係る時間データと、前記時間データのそれぞれに関連付けられたコンテンツとを記録する記録部と、
前記記録部に記録されたデータのうち、再生対象とする前記コンテンツを前記時間データに基づいて出力する出力部と、
前記有限期間と前記有限期間に対する前記再生対象に対応する再生時点とを表す第１の表示と、前記タッチパネルで検出された前記タッチが第１のタッチであるときに、前記有限期間の一部である一部期間と前記一部期間に対する前記再生時点とを表す第２の表示とを、前記表示部に表示させる表示制御部と、
前記タッチ位置が前記第１の表示又は前記第２の表示の上であるときに、前記タッチ位置に応じた前記再生時点に対応する前記コンテンツの出力を前記出力部に行わせる出力制御部と
を備えるデータ再生装置。
【請求項２】
前記第２の表示は、円形形状である、請求項１に記載のデータ再生装置。
【請求項３】
前記表示制御部は、前記タッチ位置が前記第２の表示の上で１周したとき、前記表示部に表示させる前記一部期間を変更する、請求項２に記載のデータ再生装置。
【請求項４】
前記第２の表示は、前記タッチ位置が前記第２の表示の上で１周した回数を表す表示を含む、請求項３に記載のデータ再生装置。
【請求項５】
前記第１のタッチは、前記第１の表示の上を所定の期間以上継続してタッチすることである、請求項１に記載のデータ再生装置。
【請求項６】
前記第１のタッチは、前記第１の表示の上を所定の期間内に所定の回数繰り返しタッチすること、又は所定の期間内に所定の回数繰り返し擦ることである、請求項１に記載のデータ再生装置。
【請求項７】
前記第１のタッチは前記第１の表示の上で行われ、
前記第１のタッチに係る前記タッチ位置は、前記有限期間に含まれる選択時点に対応し、
前記一部期間は、前記選択時点を含む期間である、
請求項１に記載のデータ再生装置。
【請求項８】
前記第２の表示は、半透明表示である、請求項１に記載のデータ再生装置。
【請求項９】
前記コンテンツは、動画データであり、前記出力部は前記表示部を含む、請求項１に記載のデータ再生装置。
【請求項１０】
前記コンテンツは、音声データであり、前記出力部はスピーカーを含む、請求項１に記載のデータ再生装置。
【請求項１１】
前記コンテンツは、複数の静止画のデータであり、前記出力部は前記表示部を含む、請求項１に記載のデータ再生装置。
【請求項１２】
前記第２の表示は、前記有限期間の一部である一部期間と前記一部期間に対する前記再生時点とを表す複数の第３の表示であって、前記表示部における単位長さあたりで表される前記時間データが互いに異なる複数の第３の表示を含み、
前記表示制御部は、前記タッチパネルで検出された複数の前記タッチ位置の間隔の変化に応じて、前記複数の第３の表示のうちから前記表示部に表示させる前記第３の表示を選択する、
請求項１に記載のデータ再生装置。
【請求項１３】
前記第１の表示及び前記第２の表示をＯＳＤとして記憶するＯＳＤ記憶部をさらに備える請求項１に記載のデータ再生装置。
【請求項１４】
画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御方法であって、
前記有限期間と前記有限期間に対する前記再生対象に対応する再生時点とを表す第１の表示を、前記表示部に表示させることと、
前記タッチパネルで検出された前記タッチが第１のタッチであるときに、前記有限期間の一部である一部期間と前記一部期間に対する前記再生時点とを表す第２の表示を、前記表示部に表示させることと、
前記タッチ位置が前記第１の表示又は前記第２の表示の上であるときに、前記タッチ位置に応じた前記再生時点に対応する前記コンテンツの出力を前記出力部に行わせることと
を含む制御方法。
【請求項１５】
画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御プログラムを記録するコンピュータ読み取り可能な記録媒体であって、
前記有限期間と前記有限期間に対する前記再生対象に対応する再生時点とを表す第１の表示を、前記表示部に表示させるためのコードと、
前記タッチパネルで検出された前記タッチが第１のタッチであるときに、前記有限期間の一部である一部期間と前記一部期間に対する前記再生時点とを表す第２の表示を、前記表示部に表示させるためのコードと、
前記タッチ位置が前記第１の表示又は前記第２の表示の上であるときに、前記タッチ位置に応じた前記再生時点に対応する前記コンテンツの出力を前記出力部に行わせるためのコードと
を含む記録媒体。
【発明の詳細な説明】
【技術分野】
【０００１】
本発明は、データ再生装置、データ再生装置の制御方法及び制御プログラムを記録する記録媒体に関する。
【背景技術】
【０００２】
例えば動画を再生するときに、再生動作に係る操作がタッチパネルを用いて行われる装置が知られている。例えば日本国特開２００４−１０４５９４号公報には、デジタルカメラにおける動画再生の操作に係る技術が開示されている。日本国特開２００４−１０４５９４号公報には、動画ファイル全体の長さに対する現在の再生位置を表す、いわゆるシークバーが表示されることや、シークバー上がタッチされたときに、タッチされた位置に対応するフレームから動画が再生されることが開示されている。また、日本国特開２００４−１０４５９４号公報には、タッチパネル上でユーザが指をスライドさせるなぞり操作の方向や速度に応じて、早送りや巻き戻しなどの動作が行われることが開示されている。【０００３】
一般に、所望のフレームから動画を再生させようとするとき、シークバーを用いて所望のフレームを選択しようとしても細かな指定が困難であり、操作がしにくい。このことは、動画ファイルが長くなり、長時間が短いシークバーに圧縮されて表示されているときに特に顕著となる。この場合、どの位置を指定しているのか見づらいという欠点がある。このことは、動画の再生に限らず、例えば音声の再生においても同様である。
【発明の概要】
【０００４】
本発明は、容易に所望のデータの選択と確認ができる、操作性のよいデータ再生装置、データ再生装置の制御方法及び制御プログラムを提供することを目的とする。
【０００５】
前記目的を果たすため、本発明の一態様によれば、データ再生装置は、画像を表示する表示部と、前記表示部に設けられ、タッチされた位置をタッチ位置として検出するタッチパネルと、有限期間に含まれる複数の時間に係る時間データと、前記時間データのそれぞれに関連付けられたコンテンツとを記録する記録部と、前記記録部に記録されたデータのうち、再生対象とする前記コンテンツを前記時間データに基づいて出力する出力部と、前記有限期間と前記有限期間に対する前記再生対象に対応する再生時点とを表す第１の表示と、前記タッチパネルで検出された前記タッチが第１のタッチであるときに、前記有限期間の一部である一部期間と前記一部期間に対する前記再生時点とを表す第２の表示とを、前記表示部に表示させる表示制御部と、前記タッチ位置が前記第１の表示又は前記第２の表示の上であるときに、前記タッチ位置に応じた前記再生時点に対応する前記コンテンツの出力を前記出力部に行わせる出力制御部とを備える。
【０００６】
また、本発明の一態様によれば、データ再生装置の制御方法は、画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御方法であって、前記有限期間と前記有限期間に対する前記再生対象に対応する再生時点とを表す第１の表示を、前記表示部に表示させることと、前記タッチパネルで検出された前記タッチが第１のタッチであるときに、前記有限期間の一部である一部期間と前記一部期間に対する前記再生時点とを表す第２の表示を、前記表示部に表示させることと、前記タッチ位置が前記第１の表示又は前記第２の表示の上であるときに、前記タッチ位置に応じた前記再生時点に対応する前記コンテンツの出力を前記出力部に行わせることとを含む。
【０００７】
また、本発明の一態様によれば、制御プログラムを記録する記録媒体は、画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御プログラムを記録するコンピュータ読み取り可能な記録媒体であって、前記有限期間と前記有限期間に対する前記再生対象に対応する再生時点とを表す第１の表示を、前記表示部に表示させるためのコードと、前記タッチパネルで検出された前記タッチが第１のタッチであるときに、前記有限期間の一部である一部期間と前記一部期間に対する前記再生時点とを表す第２の表示を、前記表示部に表示させるためのコードと、前記タッチ位置が前記第１の表示又は前記第２の表示の上であるときに、前記タッチ位置に応じた前記再生時点に対応する前記コンテンツの出力を前記出力部に行わせるためのコードとを含む。
【０００８】
本発明によれば、容易に所望のデータの選択と確認ができる、操作性のよいデータ再生装置、データ再生装置の制御方法及び制御プログラムを記録する記録媒体を提供できる。
【図面の簡単な説明】
【０００９】
【図１】図１は、一実施形態に係るデジタルカメラの構成例の概略を示すブロック図である。
【図２】図２は、一実施形態に係るカメラ動作処理の一例を示すフローチャートである。
【図３Ａ】図３Ａは、一実施形態に係る再生動作処理の一例を示すフローチャートである。
【図３Ｂ】図３Ｂは、一実施形態に係る再生動作処理の一例を示すフローチャートである。
【図４】図４は、一実施形態に係るタッチ動作処理の一例を示すフローチャートである。
【図５】図５は、一実施形態に係る表示画像の一例を示す図である。
【図６】図６は、一実施形態に係る調整サークル表示処理の一例を示すフローチャートである。
【図７】図７は、一実施形態に係る表示画像の一例を示す図であり、”秒”設定用の調整サークルの一例を示す図である。
【図８】図８は、一実施形態に係る表示画像の一例を示す図であり、単位拡大操作について説明するための図である。
【図９】図９は、一実施形態に係る表示画像の一例を示す図であり、”分”設定用の調整サークルの一例を示す図である。
【図１０】図１０は、一実施形態に係る表示画像の一例を示す図であり、単位縮小操作について説明するための図である。
【図１１】図１１は、一実施形態に係る表示画像の一例を示す図であり、”時”設定用の調整サークルの一例を示す図である。
【図１２】図１２は、一実施形態に係るコマ送り動作処理の一例を示すフローチャートである。
【図１３】図１３は、コマ送り動作に係る操作の一例について説明するための図である。
【図１４】図１４は、一実施形態に係る表示画像の一例を示す図であり、”秒”設定用の調整サークルの一例を示す図である。
【図１５】図１５は、一実施形態に係るタッチ検出処理の一例を示すフローチャートである。
【図１６】図１６は、一実施形態に係るタッチ動作処理の別の例を示すフローチャートである。
【図１７】図１７は、一実施形態に係る表示画像の一例を示す図であり、”秒”設定用の調整サークルの別の例を示す図である。
【図１８】図１８は、一実施形態に係る表示画像の一例を示す図であり、”分”設定用の調整サークルの別の例を示す図である。
【図１９】図１９は、一実施形態に係る表示画像の一例を示す図であり、”時”設定用の調整サークルの別の例を示す図である。
【発明を実施するための形態】
【００１０】
本発明の一実施形態について図面を参照して説明する。本実施形態は、デジタルカメラに係る。本実施形態に係るデジタルカメラの構成例の概略を図１に示す。図１に示すように、本実施形態に係るデジタルカメラ１は、制御部１０と、表示部２０と、タッチパネル３０と、記録部４０と、スピーカー５０と、入力部６０と、撮像部７２と、マイク７４とを備える。
【００１１】
制御部１０は、デジタルカメラ１の各部の動作を制御する。制御部１０は、Ｃｅｎｔｒａｌ  Ｐｒｏｃｅｓｓｉｎｇ  Ｕｎｉｔ（ＣＰＵ）、又はＡｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ）等を含み、各種演算を行う。制御部１０の動作は、記録部４０に記録されたプログラムに従って行われる。
【００１２】
表示部２０は、例えば液晶ディスプレイである。表示部２０は、制御部１０の制御下で各種画像を表示する。タッチパネル３０は、表示部２０上に表示部２０に対応して設けられている。タッチパネル３０は、タッチされた位置を検出する。タッチパネル３０は、タッチ位置に関する情報を制御部１０に出力する。
【００１３】
記録部４０は、例えば半導体メモリといった一般的な記録媒体を含む。記録部４０には、制御部１０の動作に必要なプログラムが記録されている。また、記録部４０には、表示部２０に表示させる画面に係る画像情報等がＯｎ  Ｓｃｒｅｅｎ  Ｄｉｓｐｌａｙ（ＯＳＤ）として記録されている。また、記録部４０には、デジタルカメラ１で撮影された静止画や動画が記録される。記録部４０は、プログラム等が記録されるデジタルカメラ１に対して固定された記録媒体と、静止画や動画が記録されるデジタルカメラ１に対して着脱自在な記録媒体とを別々に含んでいてもよい。また、静止画や動画等のコンテンツを大量に記録できるように、静止画や動画等は、ＯＳＤ等が記録されている記録部とは別の記録部に記録されてもよい。
【００１４】
スピーカー５０は、一般的なスピーカーであり、制御部１０の制御下で音声の出力を行う。入力部６０は、各種ボタンやダイヤル等を含む。入力部６０は、ユーザによる入力を取得し、その情報を制御部１０へと出力する。
【００１５】
撮像部７２は、レンズや撮像素子等を含む。撮像部７２は、被写体像に基づいて、画像信号を生成し、生成した画像信号を制御部１０へと出力する。マイク７４は、一般的なマイクロフォンである。マイク７４は、周囲の音声を取得し、音声信号を生成する。マイク７４は、生成した音声信号を制御部１０へと出力する。
【００１６】
記録部４０に記録される動画データは、次のような経時データであるといえる。すなわち、動画はある有限期間である長さを持っている。動画データには、この有限期間に含まれる時間に対応した画像データや音声データが含まれている。すなわち、各時間の画像データや音声データは、有限期間に含まれる時間に各々対応している。この動画データに基づいて、動画の再生がされるとき、有限期間のうち、再生時点が順々に進み、その再生時点に対応する画像が表示部２０に表示されたり、その再生時点に対応する音声がスピーカー５０から出力されたりする。
【００１７】
制御部１０についてさらに説明する。制御部１０は、画像処理部１１と、タッチ位置特定部１２と、第１の表示制御部１３と、第２の表示制御部１４と、第１の出力制御部１５と、第２の出力制御部１６とを含む。
【００１８】
画像処理部１１は、各種画像処理を行う。タッチ位置特定部１２は、タッチパネル３０からタッチ位置に係る信号を取得し、タッチされた位置等に係る情報を解析する。
【００１９】
第１の表示制御部１３は、動画ファイルの長さである有限期間と、現在の再生位置である再生時点とを表す第１の表示としてのシークバーを表示部２０に表示させる。
【００２０】
第２の表示制御部１４は、タッチ位置特定部１２の出力結果に基づいて、シークバーが所定の期間よりも長くタッチされたか否かを判定し、シークバーが所定の期間よりも長くタッチされたと判定されたとき、動画ファイルの一部の期間と再生時点とを表す第２の表示としての調整サークルを表示部２０に表示させる。
【００２１】
第１の出力制御部１５は、シークバー上がタッチされたとき、タッチされた位置に応じた再生動作を行わせる。すなわち、第１の出力制御部１５は、シークバーのタッチされた位置に相当するフレームの画像を表示部２０に表示させ、相当するフレームの音声をスピーカー５０から出力させる。
【００２２】
第２の出力制御部１６は、調整サークルがタッチされたとき、タッチされた位置に応じた再生動作を行わせる。すなわち、調整サークルのタッチされた位置に相当するフレームの画像を表示部２０に表示させ、相当するフレームの音声をスピーカー５０から出力させる。このように、表示部２０やスピーカー５０は、経時データに基づいて、有限期間のうちの再生時点に対応する出力を行う出力部として機能する。
【００２３】
本実施形態に係るデジタルカメラ１の動作について説明する。デジタルカメラ１の制御部１０で行われるカメラ動作処理を図２に示すフローチャートを参照して説明する。
【００２４】
ステップＳ１０１において、制御部１０は、電源がＯＮであるか否かを判定する。電源がＯＮでないと判定されたとき、カメラ動作処理は終了する。一方、電源がＯＮであると判定されたとき、処理はステップＳ１０２に進む。
【００２５】
ステップＳ１０２において、制御部１０は、ライブビュー表示を行わせる。すなわち、撮像部７２は、ライブビュー用の撮像動作を行う。画像処理部１１は、得られた画像に対して画像処理を行ってスルー画を作成する。表示部２０は、作成されたスルー画を表示する。
【００２６】
ステップＳ１０３において、制御部１０は、記録操作が行われたか否かを判定する。ここで、記録操作は、例えば静止画を取得するために行われる入力部６０に含まれるレリーズボタンが押圧されることであったり、例えば動画を取得するために行われる入力部６０に含まれる動画ボタンが押圧されることであったりする。ステップＳ１０３において、記録操作が行われたと判定されたとき、処理はステップＳ１０４に進む。
【００２７】
ステップＳ１０４において、制御部１０は、記録動作を行う。すなわち、例えばステップＳ１０３でレリーズボタンが押圧されたと判定されたとき、静止画の記録が行われる。このとき、撮像部７２は、静止画用の撮像動作を行う。画像処理部１１は、得られた画像に対して静止画用の画像処理を行う。記録部４０は、画像処理された画像のデータを記録する。また、例えばステップＳ１０３で動画ボタンが押圧されたと判定されたとき、動画の記録が行われる。このとき、撮像部７２は、動画用の撮像動作を行う。画像処理部１１は、得られた画像に対して動画用の画像処理を行う。記録部４０は、画像処理された動画のデータを記録する。ステップＳ１０４の処理の後、処理はステップＳ１０１に戻る。
【００２８】
ステップＳ１０３の判定において、記録操作が行われていないと判定されたとき、処理はステップＳ１０５に進む。ステップＳ１０５において、制御部１０は、再生モードを開始するか否かを判定する。例えば再生ボタンが押圧されたとき、再生モードが開始される。再生モードを開始しないと判定されたとき、処理はステップＳ１０１に戻る。一方、再生モードを開始すると判定されたとき、処理はステップＳ１０６に進む。
【００２９】
ステップＳ１０６において、制御部１０は、再生動作処理を行う。再生動作処理の後、処理はステップＳ１０１に戻る。
【００３０】
再生動作処理について、図３Ａ及び図３Ｂに示すフローチャートを参照して説明する。
【００３１】
ステップＳ２０１において、制御部１０は、表示部２０にサムネイル画像の表示を行わせる。すなわち、記録部４０から記録部４０に記録されている静止画や動画に関する画像データのサムネイル画像データが読み出され、インデックス画像としてサムネイル画像が表示部２０に表示される。
【００３２】
ステップＳ２０２において、制御部１０は、再生モードを終了するか否かを判定する。例えば入力部６０に含まれる戻るボタンが押圧されたとき、再生モードは終了する。再生モードを終了すると判定されたとき、当該再生動作処理は終了し、処理はカメラ動作処理に戻る。一方、再生モードを終了しないと判定されたとき、処理はステップＳ２０３に進む。
【００３３】
ステップＳ２０３において、制御部１０は、動画ファイルが選択されたか否かを判定する。例えば動画ファイルを示すサムネイル画像の上がタッチされたことをタッチパネル３０が検出したとき、動画ファイルが選択されたと判定される。動画ファイルが選択されていないと判定されたとき、処理はステップＳ２０１に戻る。一方、動画ファイルが選択されたと判定されたとき、処理はステップＳ２０４に進む。なお、動画ファイルは、通常の動画以外にも、タイムラプス動画、スローモーション動画等をも含む。
【００３４】
ステップＳ２０４において、制御部１０は、選択された動画ファイルについて再生の準備を行う。すなわち、表示部２０には、動画ファイルの先頭画像の静止画と、再生開始ボタンとが表示される。
【００３５】
ステップＳ２０５において、制御部１０は、再生開始ボタンがタッチされる等して、動画再生の開始が選択されたか否かを判定する。動画ファイルの再生が選択されておらず、サムネイル画像の表示を希望する旨の入力がなされたと判定されたとき、処理はステップＳ２０１に戻る。一方、動画再生が選択されたと判定されたとき、処理はステップＳ２０６に進む。
【００３６】
ステップＳ２０６において、制御部１０は、動画の再生を開始させる。その結果、動画再生が行われ、表示部２０には、動画が表示される。このとき、表示部２０には、後述する第１の表示としてのシークバーが表示される。
【００３７】
ステップＳ２０７において、制御部１０は、倍速再生の操作がされたか否かを判定する。倍速再生の操作がされていないと判定されたとき、処理はステップＳ２０８に進む。
【００３８】
ステップＳ２０８において、制御部１０は、タッチパネル３０がタッチを検出したか否か、すなわち、タッチ操作がされたか否かを判定する。タッチ操作がされていないと判定されたとき、処理はステップＳ２１０に進む。一方、タッチ操作がされたと判定されたとき、処理はステップＳ２０９に進む。
【００３９】
ステップＳ２０９において、タッチ動作処理を行う。タッチ動作処理では、タッチパネル３０へのタッチの位置やタッチのされ方に応じた処理が行われる。タッチ動作処理については後述する。タッチ動作処理の後、処理はステップＳ２１０に進む。
【００４０】
ステップＳ２１０において、制御部１０は、通常再生処理を行う。すなわち、引き続き通常の動画再生が継続され、表示部２０には、動画が表示される。その後、処理はステップＳ２１３に進む。
【００４１】
ステップＳ２０７において、倍速再生操作がされたと判定されたとき、処理はステップＳ２１１に進む。ステップＳ２１１において、制御部１０は、倍速再生処理を行う。すなわち、動画が倍速で再生され、表示部２０には、倍速で再生された動画が表示される。
【００４２】
ステップＳ２１２において、制御部１０は、倍速再生終了の指示が入力されたか否か、すなわち、倍速再生を終了するか否かを判定する。倍速再生を終了しないと判定されたとき、処理はステップＳ２１１に戻る。すなわち、倍速再生が継続される。一方、倍速再生を終了すると判定されたとき、処理はステップＳ２１３に進む。
【００４３】
ステップＳ２１３において、制御部１０は、動画の再生を停止させる指示が入力されたか否か、すなわち、動画の再生を停止させるか否かを判定する。動画の再生を停止させないと判定されたとき、処理はステップＳ２０７に戻る。一方、動画の再生を停止させると判定されたとき、動画の再生を一時停止し、処理はステップＳ２１４に進む。
【００４４】
ステップＳ２１４において、制御部１０は、コマ送りモードを開始させる指示が入力されたか否か、すなわち、コマ送りモードを開始させるか否かを判定する。コマ送りモードを開始させないと判定されたとき、処理はステップＳ２０５に戻る。一方、コマ送りモードを開始させると判定されたとき、処理はステップＳ２１５に進む。
【００４５】
ステップＳ２１５において、制御部１０は、動画のコマ送り再生を開始させる。その後、処理はステップＳ２１６に進む。
【００４６】
ステップＳ２１６において、制御部１０は、タッチ操作がされたか否かを判定する。タッチ操作がされていないと判定されたとき、処理はステップＳ２１８に進む。一方、タッチ操作がされたと判定されたとき、処理はステップＳ２１７に進む。
【００４７】
ステップＳ２１７において、制御部１０は、タッチ動作処理を行う。ここで行われるタッチ動作処理は、ステップＳ２０９で行われるタッチ動作処理と同様の処理であり、コマ送りにおけるタッチ動作処理である。タッチ動作処理の後、処理はステップＳ２１８に進む。
【００４８】
ステップＳ２１８において、制御部１０は、コマ送り動作処理を行う。コマ送り動作処理は、入力部６０の操作ボタン（十字ボタン）への入力によってコマ送り再生の動作を操作する処理である。コマ送り動作処理については後述する。コマ送り動作処理の後、処理はステップＳ２１９に進む。
【００４９】
ステップＳ２１９において、制御部１０は、コマ送り再生を終了させる指示が入力されたか否か、すなわち、コマ送り再生を終了させるか否かを判定する。コマ送り再生を終了させないと判定されたとき、処理はステップＳ２１６に戻る。一方、コマ送り再生を終了させると判定されたとき、制御部１０は、動画を一時停止させる。その後、処理はステップＳ２０５に戻る。
【００５０】
次に、ステップＳ２０９及びステップＳ２１７において行われるタッチ動作処理について図４に示すフローチャートを参照して説明する。
【００５１】
ステップＳ３０１において、制御部１０は、タッチ操作が終了したか否かを判定するタッチ操作が終了したと判定されたとき、タッチ動作処理は終了し、処理は再生動作処理に戻る。一方、タッチ操作が終了していないと判定されたとき、処理はステップＳ３０２に進む。
【００５２】
動画再生中の表示部２０に表示される画面の一例を図５に示す。この図に示すように、動画再生中の画面２００には、シークバー２０２が表示されている。シークバー２０２は、動画の再生箇所を表示するものである。シークバー２０２の左端は動画の最初のフレームを示し、シークバー２０２の右端は動画の最後のフレームを示す。動画が再生されるとき、シークバー２０２上を斜線部で表したスライダが左から右へ向けて移動する。このスライダの右端は、現在再生している再生時点を表す。ユーザは、スライダの位置により、動画全体における現在の再生箇所を認識することができる。また、後述するように、シークバー２０２上の点がタッチされたとき、その点に相当する箇所から動画が再生される（ステップＳ３０４）。ユーザは、シークバー２０２上をタッチすることで、任意の箇所から動画を再生させることができる。
【００５３】
ステップＳ３０２において、制御部１０は、シークバー２０２上が長押しされたか否かを判定する。すなわち、シークバー２０２上がタッチされて所定期間以上継続してそのタッチがされているか否かを判定する。シークバー２０２上が長押しされたと判定されたとき、処理はステップＳ３０３に進む。
【００５４】
ステップＳ３０３において、制御部１０は、調整サークル表示処理を行う。調整サークル表示処理では、調整サークルが表示され、この調整サークルを用いて再生箇所が指定される。調整サークルは、シークバー２０２よりも再生箇所の指定が細かく行われ得るように構成された円形形状をしたＧｒａｐｈｉｃａｌ  Ｕｓｅｒ  Ｉｎｔｅｒｆａｃｅ（ＧＵＩ）である。調整サークル表示処理については後述する。調整サークル表示処理の後、処理はステップＳ３０１に戻る。
【００５５】
ステップＳ３０２の判定において、シークバー上が長押しされていないと判定されたとき、処理はステップＳ３０４に進む。ステップＳ３０４において、制御部１０は、通常タッチ動作を行う。このとき、制御部１０のタッチ位置特定部１２は、タッチパネル３０におけるタッチされた位置を特定し、制御部１０は、この位置に応じて種々の動作を行う。
例えば、シークバー２０２上がタッチされたとき、タッチされた箇所から動画が再生される。また、タッチされた箇所やタッチのされ方に応じて、動画の一時停止や早送りや巻き戻し等が行われる。例えば図示しない一時停止を示すアイコンがタッチされたとき、動画は一時停止する。通常タッチ動作の後、処理はステップＳ３０１に戻る。
【００５６】
次に、ステップＳ３０３で行われる調整サークル表示処理について図６に示すフローチャートを参照して説明する。
【００５７】
ステップＳ４０１において、制御部１０は、秒の単位で調整を行いやすい”秒”設定用の調整サークルを表示部２０に表示させる。”秒”設定用の調整サークルを含む動画再生中の画面２１０の一例を図７に示す。図７に示すように、動画再生中の画面２１０には、シークバー２０２と共に、”秒”設定用の調整サークル２１２が表示される。
【００５８】
”秒”設定用の調整サークル２１２は、例えば図７に示すように、円形形状のＧＵＩである。調整サークルは、図７に示すように、シークバーを円形に変形させた形状を有している。調整サークルは、表示部２０に表示される画像を遮らないように中抜き状になっている。したがって、調整サークルが表示された状態でも表示された画像は確認され得る。また、調整サークルでは、例えば現在再生されている位置よりも前を示す部分と後を示す部分とで色を異ならせる等して、動画において現在再生されている部分が明確に認識され得るようになっている。また、調整サークルは、半透明表示であってもよい。半透明表示であると、表示部２０に表示される画像が遮られない。
【００５９】
”秒”設定用の調整サークル２１２では、円の上方向である時計の０時の方向が０秒を表し、右方向である３時の方向が１５秒を表し、下方向である６時の方向が３０秒を表し、左方向である９時の方向が４５秒を表す。例えば全体の長さが０２時間３０分００秒である動画ファイルの再生中において、０１時間０６分１５秒を表すシークバー２０２上の位置が長押しされたとき、”秒”設定用の調整サークル２１２が表示される。この”秒”設定用の調整サークル２１２は、０１時間０６分００秒から０１時間０７分００秒までの１分間を表す。すなわち、図７に示すように、１５秒の位置は動画における０１時間０６分１５秒の時点を示し、３０秒の位置は動画における０１時間０６分３０秒の時点を示す。このように、”秒”設定用の調整サークル２１２は、動画の長さである有限期間の一部である一部期間を表す。また、この一部期間は、第１の表示であるシークバー２０２上の位置に対応した選択時点を含む期間となっている。
【００６０】
ステップＳ４０１の処理の後、処理はステップＳ４０２に進む。ステップＳ４０２において、制御部１０は、単位拡大操作がなされたか否かを判定する。単位拡大操作とは、例えば図８に示すようなピンチアウトの操作である。ここで、ピンチアウトとは、タッチパネル３０上のタッチされている２点の間隔が広げられるようにスライドされる動作である。ステップＳ４０２において、単位拡大操作がなされていないと判定されたとき、処理はステップＳ４０３に進む。
【００６１】
ステップＳ４０３において、制御部１０は、時間調整動作を行う。すなわち、”秒”設定用の調整サークル２１２上がタッチされたか否かを判定し、タッチされたときには、タッチ位置に応じた動画の再生を行う。例えば図７に示すように、０１時間０６分１５秒に対応する位置がタッチされたとき、動画の０１時間０６分１５秒の位置が再生される。例えば、”秒”設定用の調整サークル２１２の０１時間０６分４０秒に対応する位置がタッチされたとき、動画の０１時間０６分４０秒の位置が再生される。”秒”設定用の調整サークル２１２が時計回りに回転するように擦られたとき、タッチされている位置に応じて再生位置は進む。一方、”秒”設定用の調整サークル２１２が反時計回りに回転するように擦られたとき、タッチされている位置に応じて再生位置は戻る。”秒”設定用の調整サークル２１２が時計回りに回転するように擦られて１周まわるようにタッチされ、０秒の位置がタッチされたとき、動画の０１時間０７分００秒の位置が再生される。この場合、その後”秒”設定用の調整サークル２１２は、０１時間０７分００秒から０１時間０８分００秒までの１分間を表すようになる。ステップＳ４０３の処理の後、処理はステップＳ４０４に進む。
【００６２】
ステップＳ４０４において、制御部１０は、操作が行われることなく所定期間が経過したか否かを判定する。所定期間が経過していないとき、処理はステップＳ４０１に戻る。一方、所定期間が経過しているとき、調整サークル表示処理は終了し、処理はタッチ動作処理に戻る。すなわち、このときに、調整サークルの表示は消える。
【００６３】
ステップＳ４０２の判定において、単位拡大操作がされたと判定されたとき、処理はステップＳ４０５に進む。ステップＳ４０５において、制御部１０は、動画ファイルの長さが１分以上であるか否かを判定する。１分以上でないと判定されたとき、処理はステップＳ４０１に戻る。すなわち、単位の拡大は行われない。一方、動画ファイルの長さが１分以上であると判定されたとき、処理はステップＳ４０６に進む。
【００６４】
ステップＳ４０６において、制御部１０は、”分”設定用の調整サークルを表示部２０に表示させる。”分”設定用の調整サークルを含む動画再生中の画面２１０の一例を図９に示す。図９に示すように、動画再生中の画面２１０には、シークバー２０２と共に、”分”設定用の調整サークル２１４が表示される。
【００６５】
”分”設定用の調整サークル２１４は、例えば図９に示すように、円形形状のＧＵＩであり、円の０時の方向が０分を表し、３時の方向が１５分を表し、６時の方向が３０分を表し、９時の方向が４５分を表す。例えば全体の長さが０１時間４０分１５秒である動画ファイルの００時間４５分１０秒の部分が再生されているときに、”分”設定用の調整サークル２１４が表示された場合を考える。このとき、”分”設定用の調整サークル２１４は、００時間００分００秒から０１時間００分００秒までの１時間を表す。すなわち、図８に示すように、１５分の位置は動画における００時間１５分００秒の時点を示し、３０分の位置は動画における００時間３０分００秒の時点を示す。ステップＳ４０６の処理の後、処理はステップＳ４０７に進む。
【００６６】
ステップＳ４０７において、制御部１０は、単位拡大操作がされたか否かを判定する。単位拡大操作がされていないと判定されたとき、処理はステップＳ４０８に進む。
【００６７】
ステップＳ４０８において、制御部１０は、単位縮小操作がされたか否かを判定する。単位縮小操作とは、例えば図１０に示すようなピンチインの操作である。ここで、ピンチインとは、タッチパネル３０上のタッチされている２点の間隔が狭められるようにスライドされる動作である。ステップＳ４０８において、単位縮小操作がなされていると判定されたとき、処理はステップＳ４０１に戻る。すなわち、表示部２０には、”秒”設定用の調整サークル２１２が表示される。一方、単位縮小操作がなされていないと判定されたとき、処理はステップＳ４０９に進む。
【００６８】
ステップＳ４０９において、制御部１０は、時間調整動作を行う。すなわち、”分”設定用の調整サークル２１４上がタッチされたか否かを判定し、タッチされたときには、タッチ位置に応じた動画の再生を行う。例えば図９に示すように、００時間４５分１０秒に対応する位置がタッチされたとき、動画の００時間４５分１０秒の位置が再生される。例えば、”分”設定用の調整サークル２１４の００時間３６分２５秒に対応する位置がタッチされたとき、動画の００時間３６分２５秒の位置が再生される。”分”設定用の調整サークル２１４が時計回りに回転するように擦られて１周まわるようにタッチされて０分の位置がタッチされたとき、動画の１時間０分０秒の位置が再生される。この場合、その後”分”設定用の調整サークル２１４は、０１時間００分００秒から０２時間００分００秒までの１時間を表すようになる。ステップＳ４０９の処理の後、処理はステップＳ４１０に進む。
【００６９】
ステップＳ４１０において、制御部１０は、操作が行われることなく所定期間が経過したか否かを判定する。所定期間が経過していないとき、処理はステップＳ４０６に戻る。一方、所定期間が経過しているとき、調整サークル表示処理は終了し、処理はタッチ動作処理に戻る。すなわち、このときに、調整サークルの表示は消える。
【００７０】
ステップＳ４０７の判定において、単位拡大操作がされたと判定されたとき、処理はステップＳ４１１に進む。ステップＳ４１１において、制御部１０は、動画ファイルの長さが１時間以上であるか否かを判定する。１時間以上でないと判定されたとき、処理はステップＳ４０８に進む。すなわち、単位の拡大は行われない。一方、動画ファイルの長さは１時間以上であると判定されたとき、処理はステップＳ４１２に進む。
【００７１】
ステップＳ４１２において、制御部１０は、”時”設定用の調整サークルを表示部２０に表示させる。”時”設定用の調整サークルを含む動画再生中の画面２１０の一例を図１１に示す。図１１に示すように、動画再生中の画面２１０には、シークバー２０２と共に、”時”設定用の調整サークル２１６が表示される。
【００７２】
”時”設定用の調整サークル２１６は、例えば図１１に示すように、円形形状のＧＵＩである。円の上方向は０時間を表す。円の１周は、動画ファイルの長さに応じて変化する。例えば、動画ファイルの長さが１時間以上２時間未満のとき、円の１周は２時間を表す。同様に、例えば、動画ファイルの長さが２時間以上３時間未満のとき、円の１周は３時間を表す。同様に、例えば、ｎを自然数としたときに、動画ファイルの長さがｎ時間以上（ｎ＋１）時間未満のとき、円の１周は（ｎ＋１）時間を表す。ステップＳ４１２の処理の後、処理はステップＳ４１３に進む。
【００７３】
ステップＳ４１３において、制御部１０は、単位縮小操作がされたか否かを判定する。単位縮小操作がなされていると判定されたとき、処理はステップＳ４０６に戻る。すなわち、表示部２０には、”分”設定用の調整サークル２１４が表示される。一方、単位縮小操作がなされていないと判定されたとき、処理はステップＳ４１４に進む。
【００７４】
ステップＳ４１４において、制御部１０は、時間調整動作を行う。すなわち、”時”設定用の調整サークル２１６上がタッチされたか否かを判定し、タッチされたときには、タッチ位置に応じた動画の再生を行う。例えば図１１に示すように、００時間５６分０５秒に対応する位置がタッチされたとき、動画の００時間５６分０５秒の位置が再生される。なお、動画ファイルの長さよりも後の時点に対応する位置がタッチされた場合には、当該タッチは無視される。ステップＳ４１４の処理の後、処理はステップＳ４１５に進む。
【００７５】
ステップＳ４１５において、制御部１０は、操作が行われることなく所定期間が経過したか否かを判定する。所定期間が経過していないとき、処理はステップＳ４１２に戻る。一方、所定期間が経過しているとき、調整サークル表示処理は終了し、処理はタッチ動作処理に戻る。すなわち、このときに、調整サークルの表示は消える。
【００７６】
次に再生動作処理のステップＳ２１８で行われるコマ送り動作処理について、図１２を参照して説明する。
【００７７】
ステップＳ５０１において、制御部１０は、送り操作がされたか否かを判定する。送り操作とは、例えば、図１３に示すように入力部６０の１つである操作ボタン６０２の右ボタン６０３が押圧される操作である。送り操作がされたと判定されたとき、処理はステップＳ５０２に進む。
【００７８】
ステップＳ５０２において、制御部１０は、１コマ送り制御を開始する。すなわち、制御部１０は、表示部２０に表示させる動画を１コマずつ進める１コマ送り制御を開始する。
【００７９】
ステップＳ５０３において、制御部１０は、送り操作に用いられたボタンが放されているか否かを判定する。ボタンが放されていると判定されたとき、処理はステップＳ５０１に戻る。一方、ボタンが放されていないと判定されたとき、処理はステップＳ５０５に進む。
【００８０】
ステップＳ５０１において、送り操作がされていないと判定されたとき、処理はステップＳ５０４に進む。ステップＳ５０４において、制御部１０は、１コマ送り制御を終了させる。すなわち、送り操作のための右ボタン６０３が押されると表示部２０に表示される動画はコマ送りされ、右ボタン６０３が放されると表示部２０に表示される動画のコマ送りは終了する。ステップＳ５０４の処理の後、コマ送り動作処理は終了し、処理は再生動作処理に戻る。
【００８１】
ステップＳ５０５において、制御部１０は、押し続けタイマの動作を開始させる。押し続けタイマは、送り操作に用いられたボタンが押し続けられている時間を示すタイマである。押し続けタイマの初期値は０である。
【００８２】
ステップＳ５０６において、制御部１０は、１秒間待機する。
【００８３】
ステップＳ５０７において、制御部１０は、送り操作に用いられたボタンが放されているか否かを判定する。放されていないと判定されたとき、処理はステップＳ５０８に進む。
【００８４】
ステップＳ５０８において、制御部１０は、押し続けタイマを更新する。より詳しくは、タイマが示す時間を１秒加算する。その後、処理はステップＳ５０６に戻る。すなわち、ボタンが押され続けている間は、押し続けタイマがカウントアップされる。
【００８５】
ステップＳ５０７の判定において、ボタンが放されていると判定されたとき、処理はステップＳ５０９に進む。
【００８６】
ステップＳ５０９において、制御部１０は、１コマ送り制御を終了させる。すなわち、右ボタン６０３が押圧されてから放されるまでの間、表示部２０に表示される動画はコマ送りされ、右ボタン６０３が放されると、コマ送りは終了する。ステップＳ５０９の処理の後、処理はステップＳ５１０に進む。
【００８７】
ステップＳ５１０において、制御部１０は、押し続けタイマが示す時間が３秒以上であるか否かを判定する。３秒以上でないと判定されたとき、コマ送り動作処理は終了し、処理は再生動作処理に戻る。一方、３秒以上であると判定されたとき、処理はステップＳ５１１に進む。
【００８８】
ステップＳ５１１において、制御部１０は、１秒以内に戻し操作があったか否かを判定する。戻し操作とは、例えば、操作ボタン６０２の左ボタン６０４が押圧される操作である。１秒以内に戻し操作が行われていないと判定されたとき、コマ送り動作処理は終了し、処理は再生動作処理に戻る。一方、１秒以内に戻し操作が行われたと判定されたとき、処理はステップＳ５１２に進む。
【００８９】
ステップＳ５１２において、制御部１０は、調整サークル表示処理を行う。ここで、調整サークル表示処理は、図６を参照して説明した処理である。すなわち、右ボタン６０３が押されている間はコマ送りがなされ、右ボタン６０３が放されるとコマ送りは終了する。コマ送りの期間が３秒以上であり、かつ、コマ送りが終了した直後に戻し操作が行われると、調整サークルが表示される。３秒以上のコマ送り後に戻し操作が行われるときは、ユーザがコマ送りをし過ぎて戻そうとするときであり、ユーザが微調整を希望しているときであると考えられる。このようなときに、調整サークルが表示され、調整サークルによる調整が行われることは効果的であると考えられる。
【００９０】
ステップＳ５１２の調整サークル表示処理で表示される調整サークルの一例を図１４に示す。コマ送りの途中で行われる操作では、ユーザが細かい操作を希望していることが予想される。そこで、図１４に示すように、この場合に表示される調整サークル２１８は、１周が１０秒に設定されている。ユーザは、調整サークル２１８を用いて動画の再生位置の設定を細かに行うことができる。
【００９１】
調整サークル表示処理の後、コマ送り動作処理は終了し、処理は再生動作処理に戻る。
【００９２】
次に、上述の各処理において適宜に行われるタッチ検出処理について図１５に示すフローチャートを参照して説明する。
【００９３】
ステップＳ６０１において、制御部１０は、タッチがされたか否かを判定する。タッチされていないと判定されたとき、タッチ検出処理は終了する。一方、タッチされたと判定されたとき、処理はステップＳ６０２に進む。
【００９４】
ステップＳ６０２において、制御部１０は、タッチされたのは２点であるか否かを判定する。タッチが２点でないと判定されたとき、処理はステップＳ６０３に進む。すなわち、タッチされた点が１点であるとき、処理はステップＳ６０３に進む。ステップＳ６０３において、制御部１０は、タッチされた１点の座標を取得する。その後、処理はステップＳ６０１に戻る。すなわち、１点がタッチされ続けているとき、タッチされている点の座標が順次に取得される。
【００９５】
ステップＳ６０２において、タッチが２点であると判定されたとき、処理はステップＳ６０４に進む。ステップＳ６０４において、制御部１０は、タッチされた２点のそれぞれのタッチ位置を記憶する。ステップＳ６０５において、制御部１０は、タッチ検出タイマの動作を開始する。タッチ検出タイマは、タッチされてからの経過時間をカウントアップするタイマである。タッチ検出タイマの初期値は０とする。
【００９６】
ステップＳ６０６において、制御部１０は、タッチされている２点のうち少なくとも１点が移動したか否かを判定する。移動していないと判定されたとき、処理はステップＳ６０７に進む。ステップＳ６０７において、制御部１０は、タッチ検出タイマが示す時間が２秒以上になっているか否かを判定する。タッチ検出タイマが示す時間が２秒以上になっていないと判定されたとき、処理はステップＳ６０６に戻る。一方、タッチ検出タイマが示す時間が２秒以上であると判定されたとき、タッチ検出処理は終了する。すなわち、２点がタッチされ、その２点が２秒以上移動しないとき、タッチ検出処理は終了する。
【００９７】
ステップＳ６０６において、タッチされている２点のうち少なくとも１点が移動したと判定されたとき、処理はステップＳ６０８に進む。ステップＳ６０８において、制御部１０は、検出されている２点のタッチ位置をそれぞれ記憶する。
【００９８】
ステップＳ６０９において、制御部１０は、検出された２点間の距離が前回よりも所定の値以上離れているか否かを判定する。前回よりも離れていると判定されたとき、処理はステップＳ６１０に進む。ステップＳ６１０において、制御部１０は、拡大操作であることを検出する。その後、タッチ検出処理は終了する。
【００９９】
ステップＳ６０９において、検出された２点間の距離が前回よりも所定の値以上離れていないと判定されたとき、処理はステップＳ６１１に進む。ステップＳ６１１において、制御部１０は、検出された２点間の距離が前回よりも所定の値以上狭まっているか否かを判定する。前回よりも狭まっていると判定されたとき、処理はステップＳ６１２に進む。ステップＳ６１２において、制御部１０は、縮小操作であることを検出する。その後、タッチ検出処理は終了する。
【０１００】
ステップＳ６０９において、検出された２点間の距離が前回よりも所定の値以上狭まっていないと判定されたとき、タッチ検出処理は終了する。
【０１０１】
以上のように、本実施形態によれば、シークバー２０２を長押しすることで調整サークルが表示され、この調整サークルが用いられることで、シークバー２０２が用いられるよりも細かな再生位置の調整が容易に行われ得る。
【０１０２】
コマ送り処理においても、戻し操作が行われたときに調整サークルが表示され、この調整サークルを用いて細かな再生位置の調整が容易に行われ得る。
【０１０３】
シークバーのような直線形状と異なり、調整サークルは円形形状であるため、１周すると元の位置に戻り、連続的に繰り返す操作に用いられ得る。すなわち、例えば”秒”設定用の調整サークル２１２において、タッチ位置が１周すると１分進むことを繰り返すことによって、連続的な操作が容易に行われ得る。すなわち、１周する毎に、”秒”設定用の調整サークル２１２で表される再生位置は変化することになる。この場合、周回数も”秒”設定用の調整サークル２１２と併せて表示されてもよい。例えば、アナログ時計と同様に、調整サークルの内側に１つ上の時間単位の現在位置を示すようにしてもよい。すなわち、”秒”設定用の調整サークル２１２が秒針の移動のように変化し、周回数を表す表示が分針の移動のように表されてもよい。
【０１０４】
本実施形態では、調整サークルにおける秒や分を示す位置は、アナログ時計と同様の配置となっているこのため、ユーザは、秒や分とそれらを指し示す位置とを直感的に把握することができ、直感的に操作を行うことができる。
【０１０５】
［第１の変形例］
第１の変形例について説明する。ここでは、上述の実施形態との相違点について説明し、同一の部分については、同一の符号を付してその説明を省略する。本変形例では、上述の実施形態の場合とタッチ動作処理が異なる。より詳しくは、上述の実施形態では、シークバー２０２が長押しされることで、調整サークルが表示部２０に表示される。これに対して、本変形例では、シークバー２０２が何度も繰り返しタッチされたとき、調整サークルが表示部２０に表示される。シークバー２０２が何度も繰り返しタッチされたときは、ユーザが希望する再生位置をシークバー２０２で指定できていないことが予想される。本変形例では、このような場合に、シークバー２０２よりも分解能が高い調整サークルが表示される。
【０１０６】
本変形例に係るタッチ動作処理について、図１６に示すフローチャートを参照して説明する。
【０１０７】
ステップＳ７０１において、制御部１０は、タッチ操作カウンタをリセットする。タッチ操作カウンタは、タッチされた回数を数えるためのカウンタである。ステップＳ７０１において、タッチ操作カウンタは、初期値としての０に設定される。
【０１０８】
ステップＳ７０２において、制御部１０は、タッチ操作タイマの動作を開始させる。タッチ操作タイマは、経過時間をカウントアップするタイマである。タッチ操作タイマの初期値は０秒に設定される。
【０１０９】
ステップＳ７０３において、制御部１０は、タッチ操作は終了したか否かを判定する。タッチ操作は終了したと判定されたとき、タッチ動作処理は終了する。一方、タッチ操作は終了していないと判定されたとき、処理はステップＳ７０４に進む。
【０１１０】
ステップＳ７０４において、制御部１０は、タッチ操作タイマが１０秒以上を示し、かつ、タッチ操作カウンタが０回を示しているか否かを判定する。タッチ操作タイマが１０秒以上を示し、かつ、タッチ操作カウンタが０回を示していると判定されたとき、タッチ動作処理は終了する。一方、タッチ操作タイマが１０秒未満であるとき、又は、タッチ操作カウンタが０回を示していないとき、処理はステップＳ７０５に進む。
【０１１１】
ステップＳ７０５において、制御部１０は、タッチ操作があったか否かを判定する。タッチ操作がなかったと判定されたとき、処理はステップＳ７０３に戻る。一方、タッチ操作があったと判定されたとき、処理はステップＳ７０６に進む。
【０１１２】
ステップＳ７０６において、制御部１０は、タッチ操作カウンタを１増加させるように更新する。
【０１１３】
ステップＳ７０７において、制御部１０は、タッチ操作カウンタを参照し、タッチ操作が５回以上であるか否かを判定する。タッチ操作が５回以上でないと判定されたとき、処理はステップＳ７０８に進む。
【０１１４】
ステップＳ７０８において、制御部１０は、タッチされた位置に応じた部分の動画を再生する。その後、処理はステップＳ７０３に戻る。
【０１１５】
ステップＳ７０７の判定においてタッチ操作が５回以上であると判定されたとき、処理はステップＳ７０９に進む。ステップＳ７０９において、制御部１０は、タッチ操作カウンタを０にリセットする。ステップＳ７１０において、制御部１０は、調整サークル表示処理を行う。調整サークル表示処理は、図６を参照して説明した処理である。調整サークル表示処理の後、処理はステップＳ７０３に戻る。
【０１１６】
ステップＳ７１０で表示される調整サークルで表示される時間領域は適宜に決定され得る。例えば、調整サークルが示す時間領域の例えば中心である６時の位置は、タッチされた５つの点の平均でもよいし、最後にタッチされた２つの点の平均でもよいし、最後にタッチされた点でもよい。また、調整サークルが示す時間領域の例えば中心としては、５回されたタッチの位置がある点を挟んで前と後ろといったように行ったり来たりする場合には複数点の平均が採用される一方で、５回されたタッチの位置が同じ方向に徐々に移動している場合には最後にタッチされた点が採用されるなどでもよい。
【０１１７】
本変形例に係るタッチ動作処理によれば、ユーザがシークバーを５回続けてタッチしたときに調整サークルが表示される。シークバーが５回続けてタッチされるときは、ユーザが動画の再生したい部分を適切に選択できていないときであると考えられる。このような場合に、調整サークルが表示されることで、ユーザは容易に再生したい部分を選択できるようになる。
【０１１８】
上述の例では、５回タッチされたときとしたが、このタッチは、タッチパネル３０が例えば指でタッチされて、その指がタッチパネル３０を離れるということの繰り返しでもよいが、それに限らない。例えば、指が継続してタッチパネル３０に触れた状態で、タッチパネルが擦られ、その指の移動方向が変化したときを１回のタッチとしてカウントしてもよい。例えばタッチ位置が右方向に移動した後に左方向に移動したときを、タッチ操作が２回されたとカウントしてもよいし、タッチ位置が右方向に移動した後に一端停止して再び右方向に移動したときをタッチ操作が２回されたとカウントしてもよい。
【０１１９】
［第２の変形例］
上述の実施形態の第２の変形例について説明する。ここでは、上述の実施形態との相違点について説明し、同一の部分については、同一の符号を付してその説明を省略する。ここでは、上述の実施形態で示したものと異なる調整サークルのパターンについて説明する。
【０１２０】
図１７に、”秒”設定用の調整サークルの一例を示す。例えばシークバー２０２上が長押しされたとき、”秒”設定用の調整サークル２２２が表示される。”秒”設定用の調整サークル２２２の０時方向の位置は、シークバー２０２上で長押しされた位置に対応する。例えば、シークバー２０２上で０１時間０６分１５秒の位置が長押しされたときに表示される調整サークル２１３の０時方向の位置は、０１時間０６分１５秒の位置を示す。調整サークル２２２が、時計回りに擦られると、表示されている動画は進む。調整サークル２２２が、反時計回りに擦られると、表示されている動画は戻る。例えば調整サークル２２２の１周は１秒を表し、調整サークル２２２が時計回りに１周擦られると動画は１秒進み、調整サークル２２２が反時計回りに１周擦られると動画は１秒戻る。すなわち、図１７に示すように、調整サークル２２２が時計回りに３時方向の位置まで擦られると、０１時間０６分１５秒２５にあたる動画が再生されることになる。
【０１２１】
図１８に”分”設定用の調整サークルの一例を示す。例えば”秒”設定用の調整サークル２２２が表示されている状態で、単位拡大操作がなされると、図１８に示すように、”分”設定用の調整サークル２２４が表示される。”分”設定用の調整サークル２２４の０時方向は、その時点で再生されている時間を表す。例えば調整サークル２２４の１周は１分を表し、調整サークル２２４が時計回りに１周擦られると動画は１分進み、調整サークル２２２が反時計回りに１周擦られると動画は１分戻る。
【０１２２】
図１９に”時”設定用の調整サークルの一例を示す。例えば”分”設定用の調整サークル２２４が表示されている状態で、単位拡大操作がなされると、図１９に示すように、”時”設定用の調整サークル２２６が表示される。”時”設定用の調整サークル２２６の０時方向は、その時点で再生されている時間を表す。例えば調整サークル２２６の１周は１時間を表し、調整サークル２２６が時計回りに１周擦られると動画は１時間進み、調整サークル２２２が反時計回りに１周擦られると動画は１時間戻る。
【０１２３】
本変形例のような調整サークルによっても、動画の再生箇所の選択は容易に行われ得る。
【０１２４】
また、調整サークルは、図１７乃至図１９に示したようなものに限らない。例えば、１周で１秒、１分又は１時間を表すことに限らず、例えば、タッチパネル上を指で操作することを考慮して、動画の進み具合が設定されてもよい。例えば、タッチパネルを指で操作するときに、調整サークルの円周上で５°程度までは容易に調整できるときには、調整サークル上の５°を動画の１フレームに対応させてもよい。このとき、動画が３０ｆｐｓの場合、１周は２．４秒に対応することになる。さらに、調整位置とその前又は後の動画フレームを合成して表示されてもよい。動体の場合は、移動前後の画像が合成されるので残像のように表示されて変化が認識されるように表示される。
【０１２５】
以上の実施形態やその変形例で説明した技術は、デジタルカメラに限らず、ＰＣや、例えばスマートフォンやタブレットＰＣといった情報携帯端末等のデータを再生する機能を有する各種装置にも適用され得る。データ再生装置は、撮像部等を有している必要はなく、他の装置で取得された動画ファイルを再生する際に、上述の実施形態の技術が用いられ得る。情報携帯端末には、ウェアラブル端末も含まれる。また、コンシューマ用のカメラ等に限らず、監視カメラや、顕微鏡用のカメラや、検査用等の産業用機器や、各種医療用の観察装置にも、上述の実施形態の技術は適用され得る。
【０１２６】
また、上述の技術は、連続的な動画に限らず、経時的に取得された複数の静止画群に適用されてもよい。例えば１試合について次々と撮影されたスポーツ写真の写真群の再生に適用されてもよい。また、例えばカプセル内視鏡で取得された画像のような、長時間にわたって所定の間隔で大量に撮影された画像群に適用されてもよい。
【０１２７】
また、上述の技術は、動画ファイルに限らず音声ファイルの再生に適用されてもよい。すなわち、例えばＩＣレコーダに実装されてもよい。また、コンテンツは、振動や発光パターンなど、画像や音以外のものでよいことはもちろんである。
【０１２８】
調整サークルは、円形であるとして説明した。しかしながら、これに限らない。例えばシークバーと同様に、バー状でもよい。動画の全体を示すシークバーと比較して、動画の一部を示すシークバーの方が、動画のより狭い範囲を示しており分解能が高くなり、同様の効果が得られる。ただし、円形であれば繰り返し性があるので、より好ましい。
【０１２９】
以上、各実施形態で説明した技術のうち、主にフローチャートで説明した制御に関しては、プログラムを用いて実現され得る。このプログラムは、記録媒体や記録部に収められ得る。この記録媒体又は記録部への記録の方法は様々であり、製品出荷時に記録されてもよく、配布された記録媒体が利用されて記録されてもよく、インターネットを介したダウンロードが利用されて記録されてもよい。
【図１】
2016035369.tif 000003
【図２】
2016035369.tif 000004
【図３Ａ】
2016035369.tif 000005
【図３Ｂ】
2016035369.tif 000006
【図４】
2016035369.tif 000007
【図５】
2016035369.tif 000008
【図６】
2016035369.tif 000009
【図７】
2016035369.tif 000010
【図８】
2016035369.tif 000011
【図９】
2016035369.tif 000012
【図１０】
2016035369.tif 000013
【図１１】
2016035369.tif 000014
【図１２】
2016035369.tif 000015
【図１３】
2016035369.tif 000016
【図１４】
2016035369.tif 000017
【図１５】
2016035369.tif 000018
【図１６】
2016035369.tif 000019
【図１７】
2016035369.tif 000020
【図１８】
2016035369.tif 000021
【図１９】
2016035369.tif 000022
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
画像を表示する表示部と、
前記表示部に設けられ、タッチされた位置をタッチ位置として検出するタッチパネルと、
有限期間に含まれる複数の時間に係る時間データと、前記時間データのそれぞれに関連付けられたコンテンツとを記録する記録部と、
前記記録部に記録されたデータのうち、再生対象とする前記コンテンツを前記時間データに基づいて出力する出力部と、
前記有限期間と前記有限期間に対する前記再生対象に対応する再生時点とを表す第１の表示と、前記タッチパネルで検出された前記タッチが第１のタッチであるときに、前記有限期間の一部である一部期間と前記一部期間に対する前記再生時点とを表す第２の表示とを、前記表示部に表示させる表示制御部と、
前記タッチ位置が前記第１の表示又は前記第２の表示の上であるときに、前記タッチ位置に応じた前記再生時点に対応する前記コンテンツの出力を前記出力部に行わせる出力制御部と
を備え、
前記表示制御部は、前記画像が表示された領域を含む位置に前記第２の表示を表示させる、
データ再生装置。
【請求項２】
前記第２の表示は、円形形状である、請求項１に記載のデータ再生装置。
【請求項３】
前記表示制御部は、前記タッチ位置が前記第２の表示の上で１周したとき、前記表示部に表示させる前記一部期間を変更する、請求項２に記載のデータ再生装置。
【請求項４】
前記第２の表示は、前記タッチ位置が前記第２の表示の上で１周した回数を表す表示を含む、請求項３に記載のデータ再生装置。
【請求項５】
前記第１のタッチは、前記第１の表示の上を所定の期間以上継続してタッチすることである、請求項１に記載のデータ再生装置。
【請求項６】
前記第１のタッチは、前記第１の表示の上を所定の期間内に所定の回数繰り返しタッチすること、又は所定の期間内に所定の回数繰り返し擦ることである、請求項１に記載のデータ再生装置。
【請求項７】
前記第１のタッチは前記第１の表示の上で行われ、
前記第１のタッチに係る前記タッチ位置は、前記有限期間に含まれる選択時点に対応し、
前記一部期間は、前記選択時点を含む期間である、
請求項１に記載のデータ再生装置。
【請求項８】
前記第２の表示は、半透明表示である、請求項１に記載のデータ再生装置。
【請求項９】
前記コンテンツは、動画データであり、前記出力部は前記表示部を含む、請求項１に記載のデータ再生装置。
【請求項１０】
前記コンテンツは、音声データであり、前記出力部はスピーカーを含む、請求項１に記載のデータ再生装置。
【請求項１１】
前記コンテンツは、複数の静止画のデータであり、前記出力部は前記表示部を含む、請求項１に記載のデータ再生装置。
【請求項１２】
前記第２の表示は、前記有限期間の一部である一部期間と前記一部期間に対する前記再生時点とを表す複数の第３の表示であって、前記表示部における単位長さあたりで表される前記時間データが互いに異なる複数の第３の表示を含み、
前記表示制御部は、前記タッチパネルで検出された複数の前記タッチ位置の間隔の変化に応じて、前記複数の第３の表示のうちから前記表示部に表示させる前記第３の表示を選択する、
請求項１に記載のデータ再生装置。
【請求項１３】
前記第１の表示及び前記第２の表示をＯＳＤとして記憶するＯＳＤ記憶部をさらに備える請求項１に記載のデータ再生装置。
【請求項１４】
画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御方法であって、
前記有限期間と前記有限期間に対する前記再生対象に対応する再生時点とを表す第１の表示を、前記表示部に表示させることと、
前記タッチパネルで検出された前記タッチが第１のタッチであるときに、前記有限期間の一部である一部期間と前記一部期間に対する前記再生時点とを表す第２の表示を、前記表示部のうち、前記画像が表示された領域を含む位置に表示させることと、
前記タッチ位置が前記第１の表示又は前記第２の表示の上であるときに、前記タッチ位置に応じた前記再生時点に対応する前記コンテンツの出力を前記出力部に行わせることと
を含む制御方法。
【請求項１５】
画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御プログラムを記録するコンピュータ読み取り可能な記録媒体であって、
前記有限期間と前記有限期間に対する前記再生対象に対応する再生時点とを表す第１の表示を、前記表示部に表示させるためのコードと、
前記タッチパネルで検出された前記タッチが第１のタッチであるときに、前記有限期間の一部である一部期間と前記一部期間に対する前記再生時点とを表す第２の表示を、前記表示部のうち、前記画像が表示された領域を含む位置に表示させるためのコードと、
前記タッチ位置が前記第１の表示又は前記第２の表示の上であるときに、前記タッチ位置に応じた前記再生時点に対応する前記コンテンツの出力を前記出力部に行わせるためのコードと
を含む記録媒体。
【手続補正２】
【補正対象書類名】明細書
【補正対象項目名】０００５
【補正方法】変更
【補正の内容】
【０００５】
前記目的を果たすため、本発明の一態様によれば、データ再生装置は、
画像を表示する表示部と、前記表示部に設けられ、タッチされた位置をタッチ位置として検出するタッチパネルと、有限期間に含まれる複数の時間に係る時間データと、前記時間データのそれぞれに関連付けられたコンテンツとを記録する記録部と、前記記録部に記録されたデータのうち、再生対象とする前記コンテンツを前記時間データに基づいて出力する出力部と、前記有限期間と前記有限期間に対する前記再生対象に対応する再生時点とを表す第１の表示と、前記タッチパネルで検出された前記タッチが第１のタッチであるときに、前記有限期間の一部である一部期間と前記一部期間に対する前記再生時点とを表す第２の表示とを、前記表示部に表示させる表示制御部と、前記タッチ位置が前記第１の表示又は前記第２の表示の上であるときに、前記タッチ位置に応じた前記再生時点に対応する前記コンテンツの出力を前記出力部に行わせる出力制御部とを備え、前記表示制御部は、前記画像が表示された領域を含む位置に前記第２の表示を表示させる。
【手続補正３】
【補正対象書類名】明細書
【補正対象項目名】０００６
【補正方法】変更
【補正の内容】
【０００６】
また、本発明の一態様によれば、データ再生装置の制御方法は、
画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御方法であって、前記有限期間と前記有限期間に対する前記再生対象に対応する再生時点とを表す第１の表示を、前記表示部に表示させることと、前記タッチパネルで検出された前記タッチが第１のタッチであるときに、前記有限期間の一部である一部期間と前記一部期間に対する前記再生時点とを表す第２の表示を、前記表示部のうち、前記画像が表示された領域を含む位置に表示させることと、前記タッチ位置が前記第１の表示又は前記第２の表示の上であるときに、前記タッチ位置に応じた前記再生時点に対応する前記コンテンツの出力を前記出力部に行わせることとを含む。
【手続補正４】
【補正対象書類名】明細書
【補正対象項目名】０００７
【補正方法】変更
【補正の内容】
【０００７】
また、本発明の一態様によれば、制御プログラムを記録する記録媒体は、
画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御プログラムを記録するコンピュータ読み取り可能な記録媒体であって、前記有限期間と前記有限期間に対する前記再生対象に対応する再生時点とを表す第１の表示を、前記表示部に表示させるためのコードと、前記タッチパネルで検出された前記タッチが第１のタッチであるときに、前記有限期間の一部である一部期間と前記一部期間に対する前記再生時点とを表す第２の表示を、前記表示部のうち、前記画像が表示された領域を含む位置に表示させるためのコードと、前記タッチ位置が前記第１の表示又は前記第２の表示の上であるときに、前記タッチ位置に応じた前記再生時点に対応する前記コンテンツの出力を前記出力部に行わせるためのコードとを含む。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
画像を表示する表示部と、
前記表示部に設けられ、タッチされた位置をタッチ位置として検出するタッチパネルと、
有限期間に含まれる複数の時間に係る時間データと、前記時間データのそれぞれに関連付けられたコンテンツとを記録する記録部と、
前記記録部に記録されたデータのうち、再生対象とする前記コンテンツを前記時間データに基づいて出力する出力部と、
前記有限期間と前記有限期間に対する前記再生対象に対応する再生時点とを表す第１の表示と、前記タッチパネルで検出された前記タッチが第１のタッチであるときに、前記有限期間の一部である一部期間と前記一部期間に対する前記再生時点とを表す第２の表示とを、前記表示部に表示させる表示制御部と、
前記タッチ位置が前記第１の表示又は前記第２の表示の上であるときに、前記タッチ位置に応じた前記再生時点に対応する前記コンテンツの出力を前記出力部に行わせる出力制御部と、
前記タッチパネルで検出された前記タッチに基づいて、単位変更操作がされたことを判定する単位変更操作判定部と
を備え、
前記表示制御部は、前記画像が表示された領域を含む位置に前記第２の表示を表示させ、
前記第２の表示は、期間を示す単位に応じた複数種類の前記一部期間をそれぞれ表す複数種類の調整用表示を含み、
前記表示制御部は、前記単位変更操作判定部によって判定された前記単位変更操作に応じて、前記第２の表示の前記調整用表示を変更する、
データ再生装置。
【請求項２】
前記第２の表示は、円形形状である、請求項１に記載のデータ再生装置。
【請求項３】
前記表示制御部は、前記タッチ位置が前記第２の表示の上で１周したとき、前記表示部に表示させる前記一部期間を変更する、請求項２に記載のデータ再生装置。
【請求項４】
前記第２の表示は、前記タッチ位置が前記第２の表示の上で１周した回数を表す表示を含む、請求項３に記載のデータ再生装置。
【請求項５】
前記第１のタッチは、前記第１の表示の上を所定の期間以上継続してタッチすることである、請求項１に記載のデータ再生装置。
【請求項６】
前記第１のタッチは、前記第１の表示の上を所定の期間内に所定の回数繰り返しタッチすること、又は所定の期間内に所定の回数繰り返し擦ることである、請求項１に記載のデータ再生装置。
【請求項７】
前記第１のタッチは前記第１の表示の上で行われ、
前記第１のタッチに係る前記タッチ位置は、前記有限期間に含まれる選択時点に対応し、
前記一部期間は、前記選択時点を含む期間である、
請求項１に記載のデータ再生装置。
【請求項８】
前記第２の表示は、半透明表示である、請求項１に記載のデータ再生装置。
【請求項９】
前記コンテンツは、動画データであり、前記出力部は前記表示部を含む、請求項１に記載のデータ再生装置。
【請求項１０】
前記コンテンツは、音声データであり、前記出力部はスピーカーを含む、請求項１に記載のデータ再生装置。
【請求項１１】
前記コンテンツは、複数の静止画のデータであり、前記出力部は前記表示部を含む、請求項１に記載のデータ再生装置。
【請求項１２】
前記第２の表示は、前記有限期間の一部である一部期間と前記一部期間に対する前記再生時点とを表す複数の第３の表示であって、前記表示部における単位長さあたりで表される前記時間データが互いに異なる複数の第３の表示を含み、
前記表示制御部は、前記タッチパネルで検出された複数の前記タッチ位置の間隔の変化に応じて、前記複数の第３の表示のうちから前記表示部に表示させる前記第３の表示を選択する、
請求項１に記載のデータ再生装置。
【請求項１３】
前記第１の表示及び前記第２の表示をＯＳＤとして記憶するＯＳＤ記憶部をさらに備える請求項１に記載のデータ再生装置。
【請求項１４】
前記単位変更操作判定部は、ピンチアウト又はピンチインの操作を検出した場合に前記単位変更操作がされたと判定し、
前記表示制御部は、
前記ピンチアウトが検出された場合には、前記単位がより大きい前記一部期間を表す前記調整用表示に前記第２の表示を更新し、
前記ピンチインが検出された場合には、前記単位がより小さい前記一部期間を表す前記調整用表示に前記第２の表示を更新する、
請求項１に記載のデータ再生装置。
【請求項１５】
前記第２の表示は、円形形状の調整用表示を含み、
前記表示制御部は、前記第１のタッチが検出されたとき、又は前記単位変更操作が検出されたときの前記再生時点が０時方向に対応する前記調整用表示を前記表示部に表示させる、
請求項１に記載のデータ再生装置。
【請求項１６】
画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御方法であって、
前記有限期間と前記有限期間に対する前記再生対象に対応する再生時点とを表す第１の表示を、前記表示部に表示させることと、
前記タッチパネルで検出された前記タッチが第１のタッチであるときに、前記有限期間の一部である一部期間と前記一部期間に対する前記再生時点とを表す第２の表示を、前記表示部のうち、前記画像が表示された領域を含む位置に表示させることと、
前記タッチ位置が前記第１の表示又は前記第２の表示の上であるときに、前記タッチ位置に応じた前記再生時点に対応する前記コンテンツの出力を前記出力部に行わせることと、
前記タッチパネルで検出された前記タッチに基づいて単位変更操作がされたことを判定し、期間を示す単位に応じた複数種類の前記一部期間をそれぞれ表す複数種類の調整用表示を含む前記第２の表示の前記調整用表示を前記単位変更操作に応じて変更することと
を含む制御方法。
【請求項１７】
画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御プログラムを記録するコンピュータ読み取り可能な記録媒体であって、
前記有限期間と前記有限期間に対する前記再生対象に対応する再生時点とを表す第１の表示を、前記表示部に表示させるためのコードと、
前記タッチパネルで検出された前記タッチが第１のタッチであるときに、前記有限期間の一部である一部期間と前記一部期間に対する前記再生時点とを表す第２の表示を、前記表示部のうち、前記画像が表示された領域を含む位置に表示させるためのコードと、
前記タッチ位置が前記第１の表示又は前記第２の表示の上であるときに、前記タッチ位置に応じた前記再生時点に対応する前記コンテンツの出力を前記出力部に行わせるためのコードと、
前記タッチパネルで検出された前記タッチに基づいて単位変更操作がされたことを判定し、期間を示す単位に応じた複数種類の前記一部期間をそれぞれ表す複数種類の調整用表示を含む前記第２の表示の前記調整用表示を前記単位変更操作に応じて変更するためのコードと
を含む記録媒体。
【手続補正２】
【補正対象書類名】明細書
【補正対象項目名】０００５
【補正方法】変更
【補正の内容】
【０００５】
前記目的を果たすため、本発明の一態様によれば、データ再生装置は、画像を表示する表示部と、前記表示部に設けられ、タッチされた位置をタッチ位置として検出するタッチパネルと、有限期間に含まれる複数の時間に係る時間データと、前記時間データのそれぞれに関連付けられたコンテンツとを記録する記録部と、前記記録部に記録されたデータのうち、再生対象とする前記コンテンツを前記時間データに基づいて出力する出力部と、前記有限期間と前記有限期間に対する前記再生対象に対応する再生時点とを表す第１の表示と、前記タッチパネルで検出された前記タッチが第１のタッチであるときに、前記有限期間の一部である一部期間と前記一部期間に対する前記再生時点とを表す第２の表示とを、前記表示部に表示させる表示制御部と、前記タッチ位置が前記第１の表示又は前記第２の表示の上であるときに、前記タッチ位置に応じた前記再生時点に対応する前記コンテンツの出力を前記出力部に行わせる出力制御部と、前記タッチパネルで検出された前記タッチに基づいて、単位変更操作がされたことを判定する単位変更操作判定部とを備え、前記表示制御部は、前記画像が表示された領域を含む位置に前記第２の表示を表示させ、前記第２の表示は、期間を示す単位に応じた複数種類の前記一部期間をそれぞれ表す複数種類の調整用表示を含み、前記表示制御部は、前記単位変更操作判定部によって判定された前記単位変更操作に応じて、前記第２の表示の前記調整用表示を変更する。
【手続補正３】
【補正対象書類名】明細書
【補正対象項目名】０００６
【補正方法】変更
【補正の内容】
【０００６】
また、本発明の一態様によれば、データ再生装置の制御方法は、画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御方法であって、前記有限期間と前記有限期間に対する前記再生対象に対応する再生時点とを表す第１の表示を、前記表示部に表示させることと、前記タッチパネルで検出された前記タッチが第１のタッチであるときに、前記有限期間の一部である一部期間と前記一部期間に対する前記再生時点とを表す第２の表示を、前記表示部のうち、前記画像が表示された領域を含む位置に表示させることと、前記タッチ位置が前記第１の表示又は前記第２の表示の上であるときに、前記タッチ位置に応じた前記再生時点に対応する前記コンテンツの出力を前記出力部に行わせることと、前記タッチパネルで検出された前記タッチに基づいて単位変更操作がされたことを判定し、期間を示す単位に応じた複数種類の前記一部期間をそれぞれ表す複数種類の調整用表示を含む前記第２の表示の前記調整用表示を前記単位変更操作に応じて変更することとを含む。
【手続補正４】
【補正対象書類名】明細書
【補正対象項目名】０００７
【補正方法】変更
【補正の内容】
【０００７】
また、本発明の一態様によれば、制御プログラムを記録する記録媒体は、画像を表示する表示部と、前記表示部に設けられ、タッチされた位置をタッチ位置として検出するタッチパネルと、有限期間に含まれる複数の時間に係る時間データと前記時間データのそれぞれに関連付けられたコンテンツとを記録する記録部と、前記記録部に記録されたデータのうち、再生対象とする前記コンテンツを前記時間データに基づいて出力する出力部とを備えるデータ再生装置の制御プログラムを記録するコンピュータ読み取り可能な記録媒体であって、前記有限期間と前記有限期間に対する前記再生対象に対応する再生時点とを表す第１の表示を、前記表示部に表示させるためのコードと、前記タッチパネルで検出された前記タッチが第１のタッチであるときに、前記有限期間の一部である一部期間と前記一部期間に対する前記再生時点とを表す第２の表示を、前記表示部のうち、前記画像が表示された領域を含む位置に表示させるためのコードと、前記タッチ位置が前記第１の表示又は前記第２の表示の上であるときに、前記タッチ位置に応じた前記再生時点に対応する前記コンテンツの出力を前記出力部に行わせるためのコードと、前記タッチパネルで検出された前記タッチに基づいて単位変更操作がされたことを判定し、期間を示す単位に応じた複数種類の前記一部期間をそれぞれ表す複数種類の調整用表示を含む前記第２の表示の前記調整用表示を前記単位変更操作に応じて変更するためのコードとを含む。
【国際調査報告】
2016035369.tif 000023
2016035369.tif 000024
2016035369.tif 000025
2016035369.tif 000026